(57)【要約】【課題】  リスニングポイントの位置や音源の配置位置が変更された場合においても、煩雑な作業を行うことなく、簡易に最適な音場の再現を可能とする。【解決手段】  記録部６には、音声処理部４が各ｃｈに対応するオーディオデータに信号処理を行う際に必要な各種のパラメータが格納された設定状態テーブルＴＢＬ２と設定画面データが記録されている。この設定画面データは、設定状態テーブルＴＢＬ２とリンクしており、この設定画面上に加えられた変更に応じて、設定状態テーブルＴＢＬ２が更新される。この結果、音声処理部４においてオーディオデータに対する信号処理を行う際のパラメータに変更が加えられる。【選択図】  図１
2005286903.tif 000002
【特許請求の範囲】
【請求項１】
複数の音響信号に基づいて当該各音響信号に対応する各スピーカを夫々拡声させ、聴取者に対して臨場感のある音場空間を提供する音響再生装置において、
前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段と、
前記設定画面に基づいて前記仮想空間内における前記各スピーカの設定状態及び前記聴取位置の設定状態を認識する認識手段と、
前記認識結果に基づいて前記音場空間内における前記各スピーカと前記聴取位置との間の現実の距離を算出する算出手段と、
前記算出された距離に対応する信号処理を前記音響信号に対して行う音声処理手段と
を具備することを特徴とする音響再生装置。
【請求項２】
前記認識手段は、前記設定画面に基づいて前記仮想空間内における（１）聴取位置の移動、（２）各スピーカの配置位置の移動、（３）既に配置されたスピーカの削除、（４）新たなスピーカの追加、（５）スピーカの機種の変更、（６）スピーカのサイズの変更、の少なくとも何れか一の設定状態を認識することを特徴とする請求項１に記載の音響再生装置。
【請求項３】
前記認識手段によって、前記仮想空間内における前記聴取位置の移動若しくは前記各スピーカの配置位置の移動が認識された場合に、
前記算出手段は、
前記認識結果に基づいて、前記音場空間内における前記各スピーカと前記聴取位置との間の現実の距離を算出する
ことを特徴とする請求項２に記載の音響再生装置。
【請求項４】
前記認識手段によって、前記仮想空間内に既に配置された前記スピーカの削除が認識された場合に、
前記音声処理手段は、
当該削除されたスピーカに対応する音響信号を当該他の音響信号に重畳して信号処理を行う
ことを特徴とする請求項２に記載の音響再生装置。
【請求項５】
前記認識手段によって、前記仮想空間内に前記スピーカが新たに追加されたことが認識された場合に、
前記算出手段は、
前記認識結果に基づいて、前記音場空間内における当該追加されたスピーカと前記聴取位置との間の現実の距離を算出し、
前記音声処理手段は、
当該追加されたスピーカに対して出力すべき前記音響信号を割り当てると共に、前記算出された距離に対応する信号処理を当該音響信号に行う
ことを特徴とする請求項２に記載の音響再生装置。
【請求項６】
前記表示制御手段は、
前記設定画面内に座標点を定め、
前記認識手段は、
前記設定画面上における前記選択画像の描画された座標に基づいて、前記仮想空間内における前記スピーカの移動先及び前記聴取位置の移動先を認識する
ことを特徴とする請求項２に記載の音響再生装置。
【請求項７】
前記音声処理手段が前記音響信号に対して信号処理を行う際の演算係数が前記スピーカと前記聴取位置との間の距離に対応付けて予め記録された記録手段を更に有し、
前記音声処理手段は、
前記算出された距離と対応付けて前記記録手段に記録された前記演算係数を読み出して、当該演算係数を利用しつつ信号処理を行う
ことを特徴とする請求項１に記載の音響再生装置。
【請求項８】
前記音声処理手段は、前記算出された距離に基づいて、各音響信号の遅延時間と音圧レベルと周波数特性とに変更を加える信号処理を行うことを特徴とする請求項１に記載の音響再生装置。
【請求項９】
前記表示制御手段は、
前記音場空間内における前記聴取位置に対応する位置に前記選択画像として聴取者を表すアイコンを描画すると共に、前記各スピーカの配置位置に対応する位置に前記選択画像としてスピーカを表すアイコンを描画する
ことを特徴とする請求項１に記載の音響再生装置。
【請求項１０】
複数のスピーカと、
複数の音響信号に基づいて当該各音響信号に対応する各スピーカを夫々拡声させ、聴取者に対して臨場感のある音場空間を提供する音響再生装置と、を備える音響再生システムにおいて、
前記音響再生装置は、
前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段と、
前記設定画面に基づいて前記仮想空間内における前記各スピーカの設定状態及び前記聴取位置の設定状態を認識する認識手段と、
前記認識結果に基づいて前記音場空間内における前記各スピーカと前記聴取位置との間の現実の距離を算出する算出手段と、
前記算出された距離に対応する信号処理を前記音響信号に対して行う音声処理手段と
を具備することを特徴とする音響再生システム。
【請求項１１】
複数のスピーカと、
複数の音響信号に基づいて当該各音響信号に対応する各スピーカを夫々拡声させ、聴取者に対して臨場感のある音場空間を提供する音響再生装置と、
各種の信号処理を実行する情報処理装置と、を備える音響再生システムにおいて、
前記情報処理装置は、
前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段と、
前記設定画面に基づいて前記仮想空間内における前記各スピーカの設定状態及び前記聴取位置の設定状態を認識する認識手段と、
前記認識結果に基づいて前記音場空間内における前記各スピーカと前記聴取位置との間の現実の距離を算出する算出手段と、
前記算出結果に応じて、前記音響再生装置を制御する制御手段と、を具備し、
前記音響再生装置は、
前記情報処理装置の制御の下、前記算出された距離に対応する信号処理を前記音響信号に対して行う音声処理手段を具備する
ことを特徴とする音響再生システム。
【請求項１２】
複数のスピーカと、
複数の音響信号に基づいて当該各音響信号に対応する各スピーカを夫々拡声させ、聴取者に対して臨場感のある音場空間を提供する音響再生装置と、を備える音響再生システムにおける音響再生方法であって、
前記音響再生装置が前記音場空間が再現された仮想空間を表示する画面であって、当該音場空間内における聴取者の聴取位置及び前記各スピーカの配置位置に対応する位置に選択画像が描画された設定画面を表示手段に表示させる第１ステップと、
前記音響再生装置が前記設定画面に基づいてユーザが行った入力操作に応じて当該設定画面の変更を行う第２ステップと、
前記音響再生装置が前記設定画面に基づいて前記仮想空間内における前記各スピーカの設定状態及び前記聴取位置の設定状態を認識する第３ステップと、
前記音響再生装置が前記認識結果に基づいて前記音場空間内における前記各スピーカと前記聴取位置との間の現実の距離を算出する第４ステップと、
前記音響再生装置が前記算出された距離に対応する信号処理を前記音響信号に対して行う第５ステップと
を具備することを特徴とする音響再生方法。
【請求項１３】
複数のスピーカと、
複数の音響信号に基づいて当該各音響信号に対応する各スピーカを夫々拡声させ、聴取者に対して臨場感のある音場空間を提供する音響再生装置と、
各種の信号処理を実行する情報処理装置と、を備える音響再生システムにおける音響再生方法であって、
前記情報処理装置が前記音場空間が再現された仮想空間を表示する画面であって、当該音場空間内における聴取者の聴取位置及び前記各スピーカの配置位置に対応する位置に選択画像が描画された設定画面を表示手段に表示させる第１１ステップと、
前記情報処理装置が前記設定画面に基づいてユーザが行った入力操作に応じて当該設定画面の変更を行う第１２ステップと、
前記情報処理装置が前記設定画面に基づいて前記仮想空間内における前記各スピーカの設定状態及び前記聴取位置の設定状態を認識する第１３ステップと、
前記情報処理装置が前記認識結果に基づいて前記音場空間内における前記各スピーカと前記聴取位置との間の現実の距離を算出する第１４ステップと、
前記情報処理装置が前記算出結果に応じて、前記音響再生装置を制御する第１５ステップと、
前記音響再生装置が、前記情報処理装置の制御の下、前記算出された距離に対応する信号処理を前記音響信号に対して行う第１６ステップと
を具備することを特徴とする音響再生方法。
【請求項１４】
複数の音響信号に基づいて当該各音響信号に対応する各スピーカを夫々拡声させ、聴取者に対して臨場感のある音場空間を提供する音響再生装置を、コンピュータにより制御するための制御プログラムであって、
前記コンピュータを、
前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段、
前記設定画面に基づいて前記仮想空間内における前記各スピーカの設定状態及び前記聴取位置の設定状態を認識する認識手段、
前記認識結果に基づいて前記音場空間内における前記各スピーカと前記聴取位置との間の現実の距離を算出する算出手段、
前記算出結果に応じて、前記音響再生装置を制御する制御手段
として機能させることを特徴とする制御プログラム。
【請求項１５】
請求項１４に記載の制御プログラムを記録した、コンピュータに読み取り可能な情報記録媒体。
【発明の詳細な説明】
【技術分野】
【０００１】
本願は、複数の音源を備えた音響再生装置に関し、特に、オーディオ信号を再生する際における音響再生装置の設定方法に関する。
【背景技術】
【０００２】
近年、ＤＶＤ等の記録メディアの大容量化に伴い、ＡＶアンプのように、複数チャネル（以下、「ｃｈ」と略称する）のオーディオデータを再生する音響再生装置が各種提供されるに至っている。この種の音響再生装置においては、再生される音像を聴取者の聴取位置（以下「リスニングポイント」という）に定位させると共に、音場を適切に再現することが望ましい。このため、この種の音響再生装置には、スピーカからリスニングポイントまでの距離に基づいて、各スピーカから出力される音の出力タイミングや音量に変更を加える機能が設けられている。
ここで、従来の音響再生装置において出力タイミング等のパラメータを決定する方法としては、次のようなものが提案されている。
＜方法１＞
設定画面上において新たなリスニングポイントからスピーカまでの距離を入力し、当該設定値に応じて出力タイミング等のパラメータを決定する。
＜方法２＞
各スピーカから測定用の信号音として、例えば、ピンクノイズやホワイトノイズを出力し、リスニングポイントに配置したマイクにおける測定用信号の検出結果から出力タイミング等のパラメータを算出する。（特許文献１参照）
【特許文献１】特開２００２−３３０４９９号公報
【発明の開示】
【発明が解決しようとする課題】
【０００３】
ところで、ユーザが音響再生装置の設置されている部屋を掃除したような場合、リスニングポイントとなっていたソファの配置位置が変更され、或いは、スピーカの配置位置が変更されてしまうような場面が、多々生じうる。このような場合に、最適な音場を再現しようとすれば、新たなリスニングポイントと音源との間の距離に応じて、上記出力タイミング等のパラメータを変更することが必要となる。
しかしながら、上記方法１に示した従来の設定方法では、各スピーカからリスニングポイントまでの距離を、例えば、巻き尺により計測し、当該計測結果を設定画面上において入力することが必要となる。このため、上記のような事情によりリスニングポイント等の変更がなされる度に同様の作業を行うとすれば煩雑さに耐えない。
一方、上記方法２による場合、巻き尺により距離を測定する必要性がないため、煩雑さを解消することが可能である。しかしながら、この方法２による場合、周囲の雑音により検出結果に変動が生じてしまうため、リビングルーム等、人が出入りし雑音の生じやすい環境下に音響再生装置が設置されると、設定を行うことができる機会も限られてしまう。このため、上記方法２による場合、リスニングポイントの変更に合わせて逐一設定変更を行うことが困難となっていた。
本願は、以上説明した事情に鑑みてなされたものであって、その課題の一例としては、リスニングポイントの位置やスピーカの配置位置が変更された場合においても、煩雑な作業を行うことなく、簡易に最適な音場の再現を可能とする音響再生装置、音響再生システム、音響再生方法及び制御プログラム並びにこのプログラムを記録した情報記録媒体を提供することを目的とする。
【課題を解決するための手段】
【０００４】
上述した課題を解決するため、本願の一つの観点では、請求項１に記載の音響再生装置は、複数の音響信号に基づいて当該各音響信号に対応する各スピーカを夫々拡声させ、聴取者に対して臨場感のある音場空間を提供する音響再生装置において、前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段と、前記設定画面に基づいて前記仮想空間内における前記各スピーカの設定状態及び前記聴取位置の設定状態を認識する認識手段と、前記認識結果に基づいて前記音場空間内における前記各スピーカと前記聴取位置との間の現実の距離を算出する算出手段と、前記算出された距離に対応する信号処理を前記音響信号に対して行う音声処理手段とを具備することを特徴とする。
【０００５】
また、本願の他の観点では、請求項１０に記載の音響再生システムは、複数のスピーカと、複数の音響信号に基づいて当該各音響信号に対応する各スピーカを夫々拡声させ、聴取者に対して臨場感のある音場空間を提供する音響再生装置と、を備える音響再生システムにおいて、前記音響再生装置は、前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段と、前記設定画面に基づいて前記仮想空間内における前記各スピーカの設定状態及び前記聴取位置の設定状態を認識する認識手段と、前記認識結果に基づいて前記音場空間内における前記各スピーカと前記聴取位置との間の現実の距離を算出する算出手段と、前記算出された距離に対応する信号処理を前記音響信号に対して行う音声処理手段とを具備することを特徴とする。
【０００６】
また更に、本願の他の観点では、請求項１１に記載の音響再生システムは、複数のスピーカと、複数の音響信号に基づいて当該各音響信号に対応する各スピーカを夫々拡声させ、聴取者に対して臨場感のある音場空間を提供する音響再生装置と、各種の信号処理を実行する情報処理装置と、を備える音響再生システムにおいて、前記情報処理装置は、前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段と、前記設定画面に基づいて前記仮想空間内における前記各スピーカの設定状態及び前記聴取位置の設定状態を認識する認識手段と、前記認識結果に基づいて前記音場空間内における前記各スピーカと前記聴取位置との間の現実の距離を算出する算出手段と、前記算出結果に応じて、前記音響再生装置を制御する制御手段と、を具備し、前記音響再生装置は、前記情報処理装置の制御の下、前記算出された距離に対応する信号処理を前記音響信号に対して行う音声処理手段を具備することを特徴とする。
【０００７】
更に、本願の他の観点では、請求項１２に記載の音響再生方法は、複数のスピーカと、複数の音響信号に基づいて当該各音響信号に対応する各スピーカを夫々拡声させ、聴取者に対して臨場感のある音場空間を提供する音響再生装置と、を備える音響再生システムにおける音響再生方法であって、前記音響再生装置が前記音場空間が再現された仮想空間を表示する画面であって、当該音場空間内における聴取者の聴取位置及び前記各スピーカの配置位置に対応する位置に選択画像が描画された設定画面を表示手段に表示させる第１ステップと、前記音響再生装置が前記設定画面に基づいてユーザが行った入力操作に応じて当該設定画面の変更を行う第２ステップと、前記音響再生装置が前記設定画面に基づいて前記仮想空間内における前記各スピーカの設定状態及び前記聴取位置の設定状態を認識する第３ステップと、前記音響再生装置が前記認識結果に基づいて前記音場空間内における前記各スピーカと前記聴取位置との間の現実の距離を算出する第４ステップと、前記音響再生装置が前記算出された距離に対応する信号処理を前記音響信号に対して行う第５ステップとを具備することを特徴とする。
【０００８】
更にまた、本願の他の観点では、請求項１３に記載の音響再生方法は、複数のスピーカと、複数の音響信号に基づいて当該各音響信号に対応する各スピーカを夫々拡声させ、聴取者に対して臨場感のある音場空間を提供する音響再生装置と、各種の信号処理を実行する情報処理装置と、を備える音響再生システムにおける音響再生方法であって、前記情報処理装置が前記音場空間が再現された仮想空間を表示する画面であって、当該音場空間内における聴取者の聴取位置及び前記各スピーカの配置位置に対応する位置に選択画像が描画された設定画面を表示手段に表示させる第１１ステップと、前記情報処理装置が前記設定画面に基づいてユーザが行った入力操作に応じて当該設定画面の変更を行う第１２ステップと、前記情報処理装置が前記設定画面に基づいて前記仮想空間内における前記各スピーカの設定状態及び前記聴取位置の設定状態を認識する第１３ステップと、前記情報処理装置が前記認識結果に基づいて前記音場空間内における前記各スピーカと前記聴取位置との間の現実の距離を算出する第１４ステップと、前記情報処理装置が前記算出結果に応じて、前記音響再生装置を制御する第１５ステップと、前記音響再生装置が、前記情報処理装置の制御の下、前記算出された距離に対応する信号処理を前記音響信号に対して行う第１６ステップとを具備することを特徴とする。
【０００９】
また、本願の他の観点では、請求項１４に記載の制御プログラムは、複数の音響信号に基づいて当該各音響信号に対応する各スピーカを夫々拡声させ、聴取者に対して臨場感のある音場空間を提供する音響再生装置を、コンピュータにより制御するための制御プログラムであって、前記コンピュータを、前記音場空間が再現された仮想空間を表示する画面であって、当該音場空間内における聴取者の聴取位置及び前記各スピーカの配置位置に対応する位置に選択画像が描画された設定画面を表示手段に表示させると共に、当該設定画面に基づいてユーザが行った入力操作に応じて当該設定画面の変更を行う表示制御手段、前記設定画面に基づいて前記仮想空間内における前記各スピーカの設定状態及び前記聴取位置の設定状態を認識する認識手段、前記認識結果に基づいて前記音場空間内における前記各スピーカと前記聴取位置との間の現実の距離を算出する算出手段、前記算出結果に応じて、前記音響再生装置を制御する制御手段として機能させることを特徴とする。
【００１０】
また更に、本願の他の観点では、請求項１５に記載のコンピュータに読み取り可能な情報記録媒体は、請求項１４に記載の制御プログラムを記録していることを特徴とする。
【発明を実施するための最良の形態】
【００１１】
以下、図面を参照し、本願の実施の形態について説明する。なお、係る実施形態は、本願を限定するものではなく、本願の技術思想の範囲内において任意に変更可能である。
【００１２】
［１］実施形態
［１．１］実施形態の概要
（１）本実施形態にかかる音響再生システムの構成
まず、図１を参照しつつ、本実施形態にかかる音響再生システムＳＹについて説明する。なお、図１には、音響再生装置ＡがＡＶアンプである場合のシステムＳの構成例を示している。
【００１３】
同図に示すように本実施形態にかかる音響再生システムＳＹは、各種画像を表示するモニタＭＮと、ＤＶＤレコーダ等のメディア再生装置ＭＰと、フロントライトスピーカＦＲＳと、フロントレフトスピーカＦＬＳと、センタスピーカＣＳと、サラウンドライトスピーカＳＲＳ、サラウンドレフトスピーカＳＬＳ（以下、各スピーカＳを特定する必要がない場合、単に「スピーカＳ」という）と、サブウーファＳＷと、音響再生装置Ａを有する。
【００１４】
本実施形態にかかる音響再生システムＳＹにおいては、ＤＶＤ等の記録メディアからメディア再生装置ＭＰが読み出した映像データとオーディオデータが音響再生装置Ａに供給される。そして、音響再生装置Ａは、このメディア再生装置ＭＰによって供給される映像データをモニタＭＮに出力する一方、オーディオデータについては信号処理を施して各スピーカＳへと出力する。このように音響再生装置Ａが信号処理を施す結果、リスニングポイントにおいて音像が定位し、最適な音場が再現される。
【００１５】
かかる機能を実現するため、本実施形態において音響再生装置Ａは、オーディオデータ入力部１と、映像データ入力部２と、セレクタ３と、音声処理部４と、システム制御部５と、記録部６と、リモコン受光部７と、指示入力部８と、映像処理部９と、デジタル／アナログ変換部（以下、「デジタル／アナログ」を「Ｄ／Ａ」という）１０と、アンプ部１１と、各要素間を相互に接続するデータバス１２を有する。
【００１６】
なお、例えば、このシステム制御部５は「特許請求の範囲」における「認識手段」及び「算出手段」に対応し、「記録手段」は記録部６に対応している。また、例えば、「特許請求の範囲」における「音声処理手段」はシステム制御部５及び音声処理部４が共同することによって実現され、「表示制御手段」はシステム制御部５及び映像処理部９とが共同することによって実現されるものである。
【００１７】
まず、オーディオデータ入力部１及び映像データ入力部２は、Ｄ４端子等のデジタル信号の入力端子を複数有しており、これらの端子を介して接続されたメディア再生装置ＭＰから入力されたオーディオデータや映像データをセレクタ３に出力する。なお、オーディオデータ入力部１に対して何ｃｈのオーディオデータを入力するようにするのかは、任意であるが、本実施形態においては、フロントライト（以下、「ＦＲ」）、フロントレフト（以下、「ＦＬ」）、センタ（以下、「Ｃ」）、サラウンドライト（以下、「ＳＲ」）、サラウンドレフト（以下、「ＳＬ」）の５ｃｈと、ＬＦＥ（Low Frequency Effect）ｃｈからなる５．１ｃｈのオーディオデータが入力されているものとして説明を行う。
【００１８】
セレクタ３は、オーディオデータ入力部１及び映像データ入力部２に設けられた複数の端子に入力された各データを、ユーザの入力操作に応じて選択し、その選択された、データを音声処理部４及び映像処理部９に出力する。
【００１９】
リモコン受光部７は、例えば、受光素子により構成され、図示せぬリモコン装置から赤外線によって送信された制御信号を受信すると共に、当該受信した制御信号をデータバス１２へと出力する。指示入力部８は、セレクタ３において信号を選択するためのキーやカーソルキー等の各種キーを有しており、ユーザの入力操作に対応した制御信号をデータバス１２を介してシステム制御部５へと出力する。
【００２０】
映像処理部９は、セレクタ３から入力された映像データやデータバス１２を介してシステム制御部５から出力された画像データをモニタＭＮへと出力する。なお、この映像処理部３にデコーダを設けるか否かは任意であり、モニタＭＮにデコーダが搭載されている場合には、必ずしも、この映像処理部３にデコーダを設けることは必要とならない。
【００２１】
音声処理部４は、ＤＳＰ（Digital Signal Processor）を有し、システム制御部５の制御の下、セレクタ３から入力されたオーディオデータに対し各種の信号処理を施して、Ｄ／Ａ変換部１０へと出力する。この際、音声処理部４は、各ｃｈに対応するオーディオデータ毎に別個の信号処理を施すことにより、各スピーカＳから出力される音声の音圧レベルや各スピーカＳから音声が出力されるタイミング等の特性に変更を加える。例えば、本実施形態のように５．１ｃｈのオーディオデータが入力される場合、音声処理部４は、５．１ｃｈの各ｃｈ毎に出力タイミング、音圧等の特性に変更を加える信号処理を実行するのである。なお、ＤＳＰにおける具体的な処理方法に関しては、従来と同様であるため、詳細は、省略する。また、サブウーファＳＷに対応するＬＦＥｃｈについては指向性を有しないため、本実施形態において音声処理部４は、同ｃｈのオーディオデータに対する信号処理を行わないものとして説明を行う。
【００２２】
Ｄ／Ａ変換部１０は、音声処理部４によって信号処理が施された各ｃｈ毎に対応するオーディオデータをＤ／Ａ変換してアンプ部１１に出力する。なお、以下においては、メディア再生装置ＭＰから出力されＤ／Ａ変換される前のデータをオーディオデータと呼び、このオーディオデータをＤ／Ａ変換した後に得られる信号を音声信号と呼ぶ。
【００２３】
アンプ部１１は、Ｄ／Ａ変換部１０から入力される音声信号を増幅した後、スピーカＳへと出力する。このアンプ部１１は、出力可能なｃｈ数に応じた数の低周波数増幅器及び出力端子を有しており、Ｄ／Ａ変換部１０から入力された各ｃｈに対応する音声信号を出力端子に接続された各スピーカＳに出力する。この結果、各ｃｈに対応するオーディオデータをＤ／Ａ変換した各ｃｈに対応する音声信号が、各スピーカＳから別個独立に出力される。
【００２４】
記録部６は、ＥＥＰＲＯＭ等の不揮発性のメモリにより構成され、この記録部６には、音響再生装置Ａにおいて各種の処理を実行するために必要な各種の情報と共に、図２に示す複数のパラメータテーブルＴＢＬ１-ｋ（ｋ＝１、２、・・・、ｎ）が格納されている。
【００２５】
図２において「ＤＴ」、「ＤＢ」及び「Ｆ」は、夫々、スピーカＳから音声を出力するタイミングを変更するための遅延時間パラメータ、音圧レベルを変更するためのレベルパラメータ、周波数特性を変更するための周波数特性パラメータとなっている。これらの各パラメータは、リスニングポイントとスピーカＳの配置位置との間の距離に対応付けてテーブルＴＢＬ１-ｋに格納されており、当該距離において最適な音場を再現するために必要な値が事前に算出されて格納されている。
【００２６】
ここで、スピーカＳの機種により、出力可能周波数等の特性に違いがある。このため、音声処理部４がオーディオデータに各種の処理を施す際のパラメータは、スピーカＳの機種によって変更することが望ましい。そこで、本実施形態においては、スピーカＳの機種毎にパラメータテーブルＴＢＬ１-ｋが設けられており、各パラメータテーブルＴＢＬ１-ｋには、当該テーブルＴＢＬ１-ｋに対応するスピーカ機種名が格納されている。
【００２７】
なお、各パラメータテーブルＴＢＬ１-ｋに全ｃｈに対応した「ＤＴ」等のパラメータを格納するようにするか否かは任意である。例えば、スピーカＳの機種によっては、センタ専用やサラウンド専用、更には、フロント専用のスピーカも存在している。このように、如何なるｃｈに利用するのかが決まっている機種のスピーカに対応するパラメータテーブルＴＢＬ１-ｋについては、全てのｃｈに対応したパラメータを格納することは必要とはならず、必要なｃｈに対応したパラメータのみを格納するようにすれば良い。
【００２８】
次いで、システム制御部５は、例えば、ＲＯＭ（Read Only Memory）、ＲＡＭ（Random Access Memory）、ＣＰＵ（Central Processing Unit）を有し、ＲＯＭ内に記録されている制御プログラムを実行することにより音響再生装置Ａの各部を制御する。
【００２９】
このシステム制御部５は、以下の処理を実行する。
（ａ）初期設定処理
この処理は、音響再生装置Ａが、未だ電源が投入されたことのないような状態等、初期化されている状態において、電源が投入された場合に、システム制御部５が実行する処理である。この処理においてシステム制御部５は、音響再生装置Ａの設置されている部屋の広さや当該部屋内における各スピーカＳの配置位置及び機種、リスニングポイントの位置を設定し、これらの情報が格納された設定状態テーブルＴＢＬ２（図３）を生成して、記録部６に記録する。また、かかるテーブルＴＢＬ２の生成に際して、システム制御部５は、当該リスニングポイントにおいて最適な音場を再現するために適切な「ＤＴ」、「ＤＢ」、「Ｆ」の３つのパラメータを、パラメータテーブルＴＢＬ１-ｋから抽出して、これらのパラメータを設定状態テーブルＴＢＬ２に格納する。
【００３０】
このようにして、生成された設定状態テーブルＴＢＬ２に格納される「ＤＴ」等のパラメータは、音声処理部４が、各ｃｈに対応するオーディオデータに信号処理を行う際に利用される。また、この初期設定処理においてシステム制御部５は、生成した設定状態テーブルＴＢＬ２に基づいて設定画面データを生成し、記録部６に記録する。この設定画面データは、音場空間、すなわち、スピーカＳによって出力される音を聴取者が聴取する空間（部屋）を再現した仮想空間を表示するためのものであり、リスニングポイントやスピーカＳの配置位置が仮想的に再現されたものとなっている。なお、設定状態テーブルＴＢＬ２及び設定画面データについては後に詳述する。
【００３１】
（ｂ）設定変更処理
この処理は、音響再生装置Ａの設定状態を変更する際に、システム制御部５が実行する処理である。上記初期設定がなされた後に、（１）スピーカＳの配置位置が変更された場合、（２）リスニングポイントが変更された場合、「ＤＴ」等のパラメータを変更することが必要となる。また、ユーザが（３）使用するスピーカの機種を変更する場合があり、上記パラメータを変更することが必要となる。かかる状態の変化に対応すべく、システム制御部５は、指示入力部８やリモコン装置に所定の入力操作が行われると、記録部６に記録されている設定画面データを読み出して、当該設定画面データを含む画像データを映像処理部９に供給すると共に、図４に示すような設定画面をモニタＭＮに表示させる。
【００３２】
そして、モニタＭＮ上に表示される設定画面に従いユーザが入力操作を行うと、当該設定画面上における変更状態に基づいて実際の音場空間における変更状態を算出し、設定状態テーブルＴＢＬ２を更新する。この結果、音声処理部４が各ｃｈに対応するオーディオデータに対して信号処理を行う際のパラメータが変更され、当該移動後の位置関係においてリスニングポイントに最適な音場が再現されることとなる。
【００３３】
このように、本実施形態においては、設定画面データと設定状態テーブルＴＢＬ２がリンクしており、設定画面データにおける変更内容が設定状態テーブルＴＢＬ２に反映されるため、設定画面データに変更を加えることにより設定状態テーブルＴＢＬ２が更新され、簡易に音声処理部４において信号処理を行う際のパラメータを変更することが可能となる。
【００３４】
（２）設定状態テーブルＴＢＬ２について
ここで、上記処理を実行するための設定状態テーブルＴＢＬ２について、詳細に説明することとする。
【００３５】
まず、上記図３に示すように本実施形態において設定状態テーブルＴＢＬ２には、音響再生装置Ａの設置されている部屋の広さを示す「ｌ１-１」及び「ｌ１-２」なるパラメータ（以下、これらを特に特定する必要がない場合、「ｌ１」という）を格納するためのフィールドが設けられていると共に、各スピーカＳの配置位置を示すパラメータ「ｌ２-１」及び「ｌ２-２」（以下、これらを特に特定する必要がない場合、「ｌ２」という）が格納されている。この「ｌ２-１」及び「ｌ２-２」は夫々、各スピーカＳの中心から部屋の壁までの距離を示し、「ｌ２-１」がスピーカＳの背面方向の距離（聴取者から見てスピーカ後方の壁までの距離）、「ｌ２-２」がスピーカＳの正面向かって左側面方向の距離（聴取者から見てスピーカ左方向の壁までの距離）を示すものとなっている。
【００３６】
なお、音響再生装置Ａの初期設定時に、如何なる方法によってパラメータ「ｌ１」及び「ｌ２」を設定するのかは、任意である。例えば、ユーザが、任意に登録可能な構成としても良い。また、パラメータ「ｌ２」については、部屋の広さからＩＴＵ-Ｒ（International Telecommunications Union - Radiocommunication Sector）ＢＳ（Broadcasting service）７７５-１に準拠する数値を算出し、当該値を利用するようにしても良い。
【００３７】
また、この設定状態テーブルＴＢＬ２には、各ｃｈに対応するスピーカＳからリスニングポイントまでの距離を示すパラメータ「ｒ」と対応付けて、上記「ＤＴ」、「ＤＢ」、「Ｆ」の３パラメータが格納されている。これら「ＤＴ」、「ＤＢ」、「Ｆ」の３つのパラメータは、現在使用中のスピーカＳの機種に対応するパラメータテーブルＴＢＬ１-ｋから抽出されて、格納されるものであり、当該パラメータテーブルＴＢＬ１-ｋにおいてパラメータ「ｒ」に対応する距離と対応付けて格納された「ＤＴ」等のパラメータとなっている。
【００３８】
音声処理部４において各ｃｈに対応するオーディオデータに信号処理を施す場合、この設定状態テーブルＴＢＬ２に格納されている「ＤＴ」等のパラメータが利用される。この結果、リスニングポイントに最適な音場が再現されることとなる。なお、初期設定時に、パラメータ「ｒ」を如何なる方法にて設定するかは任意であり、例えば、ユーザが任意に登録する構成としても良い。ただし、本実施形態においては、説明をより具体的なものとするため自動にて「ｒ」が設定されるものとして説明を行う。具体的には、本実施形態において音声処理部４は、システム制御部５の制御の下、マイクを接続した状態において各ｃｈ毎にインパルス信号を出力する。そして、マイクにより集音された音声に基づいて、遅延時間パラメータ「ＤＴ」、レベルパラメータ「ＤＢ」、周波数特性パラメータ「Ｆ」を算出する。システム制御部５は、この音声処理部によって算出された、これらのパラメータに一致するパラメータと対応付けてパラメータテーブルＴＢＬ１-ｋに格納されている距離を読み出すことにより、リスニングポイントと各スピーカＳの間の距離を算出するのである。
【００３９】
（３）設定画面データについて
次いで、設定画面データについて詳述する。まず、上記図４に示すように、設定画面データに基づいてモニタＭＮに表示される設定画面には、枠Ｗが描画されている。この枠Ｗは、音響再生装置Ａの設置されている部屋の内部空間を示すものであり、設定状態テーブルＴＢＬ２に格納されている「ｌ１」パラメータと対応した値を有している。システム制御部５は、この枠Ｗを描画するに際して、パラメータ「ｌ１」の値とモニタＭＮの表示可能画素数に基づいて、枠Ｗのサイズを決定し、当該枠Ｗ内に座標を設定する。なお、システム制御部５が枠Ｗのサイズ及び座標を設定する方法については、任意である。但し、本実施形態においてシステム制御部５は、以下の方法により、設定するものとする。すなわち、システム制御部５はモニタＭＮの表示可能画素数とパラメータ「ｌ１」から、例えば、「０．１ｍ」あたり（単位長さあたり）の画素数を決定する。例えば、モニタＭＮの表示可画素数が横方向「１０２４」画素、縦方向「７６８」画素の場合に、「ｌ１-１」＝「３．６ｍ」、「ｌ１-２」＝「２．７ｍ」であるとすると、「０．１ｍ」あたりの設定可能画素数は、「２１」が最大値ということとなる。
【００４０】
この場合に、枠Ｗの描画範囲に対して所定のブランク部分を表示させつつ、枠Ｗの全体をモニタＭＮ上に表示させるためには、単位長さあたり「１５」画素程度の画素数とすることが望ましい。従って、システム制御部５は、単位長さあたりの画素数として、例えば、「１５」を設定し、縦方向「５４０」画素、横方向「４０５」画素の枠Ｗを描画するのである。このようにして、描画された枠Ｗを、システム制御部５が縦方向及び横方向に単位長さ毎に分割すると共に、枠Ｗの左下を０点として枠Ｗを分割する軸の交点に座標（Ｘ，Ｙ）を設定する。例えば、上記例の場合、枠Ｗは、横方向に「２７」分割、縦方向に「３６」分割され、座標は（０，０）〜（２７，３６）まで、設定されるのである。
【００４１】
また、この枠Ｗ内には、各スピーカＳの配置位置を示すアイコンＦＲＰ、ＦＬＰ、ＣＰ、ＳＲＰ、ＳＬＰ（以下、特に特定する必要のない場合、これらを総称して「アイコンＰ」という）と、リスニングポイントを示すアイコンＬとが描画される。このアイコンＰは、設定状態テーブルＴＢＬ２のパラメータ「ｌ２」に対応した位置に描画されるものである。例えば、「ＦＲ」ｃｈのスピーカＦＲＳに対して「ｌ２-１」＝「０．３ｍ」、「ｌ２-２」＝「０．３ｍ」となっている場合、システム制御部５は、枠Ｗ内の左枠から「０．３ｍ」、上枠から「０．３ｍ」の位置に対応する座標、すなわち、（３，３）の位置にプロッティングし、当該プロットを中心位置として、アイコンＰを描画する。
【００４２】
また、アイコンＬは、上記スピーカ配置位置Ｐのプロット位置と、設定状態テーブルＴＢＬ２に格納されたパラメータ「ｒ」に基づいて描画される。具体的には、各スピーカＳの配置位置に対応するプロットの座標を中心として半径を「ｒ」とする同心円を想定する。例えば、図３に示す設定状態テーブルＴＢＬ２の例の場合、「ＦＲ」ｃｈに対応するフィールドに「ｒ＝１．０ｍ」なるパラメータが格納されている。この場合、上記（３，３）の座標を中心として、半径「１．０ｍ」の同心円を設定する。
【００４３】
そして、システム制御部５は、各スピーカＳに対して設定した、全ての円の交わった位置に最も近い座標点にプロットを行い、当該座標位置を中心としてアイコンＬを描画する。また、この際、各円が正確に一点において交わらない可能性があるが、この場合に、システム制御部５が如何なる点をリスニングポイントとして設定するかについては、任意である。例えば、各円の交わった、複数の点を補正値として認識し、所定の位置にプロットするようにしても良いし、各円の交わった複数の点の中心点にプロットを行うようにしても良い。何れにしても、かかる場合には、誤差として処理を行うことにより処理エラーを防止することが可能となる。
【００４４】
ここで、上記のように、この設定画面には座標が設定されていることから、各アイコンＰ、Ｌが移動された場合、当該アイコンＰ、Ｌの移動前後の座標位置に基づいて、音場空間におけるスピーカＳとリスニングポイントとの間の新たな距離を算出することが可能となる。システム制御部５は、かかる算出結果に基づいて、設定状態テーブルＴＢＬ２のパラメータ「ｒ」を更新する。そして、システム制御部５は、当該更新後の「ｒ」を検索キーとしてパラメータテーブルＴＢＬ１-ｋを検索し、当該「ｒ」に対応する距離と対応付けてパラメータテーブルＴＢＬ１-ｋに格納されている「ＤＴ」等のパラメータを読み出して、当該読み出したパラメータによって設定状態テーブルＴＢＬ２に格納されている「ＤＴ」等のパラメータを更新する。
【００４５】
［１．２］実施形態の動作
（１）初期設定時の動作
次に、図５を参照しつつ本実施形態にかかる音響再生システムＳＹにおける初期設定時の動作について説明する。初期設定を行う場合、ユーザは、まず、各ｃｈに対応するスピーカＳを配置して、音響再生装置Ａの電源を投入すると共に、リモコン装置や指示入力部８に対して所定の入力操作を行うことが必要となる。なお、この際の入力操作の内容については任意である。例えば、指示入力部８及びリモコン装置に初期設定のための専用キーを設けるようにしても良い。
【００４６】
かかる入力操作をトリガとして、システム制御部５は、図５に示す初期設定処理を実行する。この処理においてシステム制御部５は、まず、画像データを生成し、映像処理部９に供給して（ステップＳ１）、ユーザによる入力を待機する状態となる（ステップＳ２「ｎｏ」）。
【００４７】
一方、上記表示処理が実行されると、モニタＭＮには、例えば、図６に示すようにパラメータ「ｌ１」及び「ｌ２」の入力を促す画像と共に、これらのパラメータを入力するためのボックスと、「完了」なるボタンが表示される。この状態において、ユーザは、部屋の広さと、スピーカＳの中心から後方の壁までの距離及びスピーカ正面左側の壁までの距離を測定し、指示入力部８等に対して当該測定結果を入力することが必要となる。そして、全てのパラメータの入力が完了し、ユーザが、指示入力部８等に対して完了ボタンを選択する旨の入力操作を行うと、システム制御部５は、ステップＳ２において「ｙｅｓ」と判定して、当該入力内容を図示せぬＲＡＭに記憶する（ステップＳ３）。
【００４８】
次いで、システム制御部５は、パラメータテーブルＴＢＬ１-ｋに格納されているスピーカＳの機種名を読み出し（ステップＳ４）、この読み出した機種名を選択するための一覧表に対応する画像データを生成して、映像処理部９に供給した後（ステップＳ５）、ユーザの入力操作を待機する状態となる（ステップＳ６「ｎｏ」）。この結果、モニタＭＮには、選択可能なスピーカＳの機種名の一覧が表示される。この状態において、ユーザが、指示入力部８、或いは、リモコン装置に対して機種名を選択する旨の入力操作を行う。すると、システム制御部５は、ステップＳ６において「ｙｅｓ」を判定し、当該選択された機種名をＲＡＭに記憶し（ステップＳ７）、再度、画像データを生成し映像処理部９に出力して（ステップＳ８）、ユーザの入力を待機する状態となる（ステップＳ９「ｎｏ」）。
【００４９】
この結果、モニタＭＮには、「リスニングポイントＬの位置を自動検出します。用意が完了したら、開始ボタンを選択してください」等の文字列と共に、「開始」なるボタンが表示される。この状態において、ユーザがマイクをリスニングポイントとなる位置に配置し、指示入力部８等に対して「開始」ボタンを選択する旨の入力操作を行うと、システム制御部５は、ステップＳ９において「ｙｅｓ」と判定し、音声処理部４に対して制御信号を出力する（ステップＳ１０）。この結果、音声処理部５は、インパルス信号に対応した音声データをＤ／Ａ変換部１０に出力し、マイクに集音された音声に従って、パラメータ「ＤＴ」、「ＤＢ」、「Ｆ」を算出する。
【００５０】
このようにして、これらのパラメータが算出されると、システム制御部５は、ＲＡＭに記憶されている機種名に対応するパラメータテーブルＴＢＬ１-ｋを検索し、当該算出された「ＤＴ」等のパラメータと対応付けて格納されている距離を読み出す。そして、システム制御部５は、当該距離及びＲＡＭに記憶されている機種名とパラメータ「ｌ１」及び「ｌ２」に基づいて設定状態テーブルＴＢＬ２を生成する（ステップＳ１１）。
【００５１】
以上の処理がなされる結果、設定状態テーブルＴＢＬ２が生成されると、システム制御部５は、生成した設定状態テーブルＴＢＬ２に基づいて、図７に示す設定画面データ生成処理を実行し（ステップＳ１２）、初期設定処理を終了する。
【００５２】
この設定画面データ生成処理（ステップＳ１２）において、システム制御部５は、まず、生成した設定状態テーブルＴＢＬ２から、部屋の広さに関するパラメータ「ｌ１-１」及び「ｌ１-２」を読み出し（ステップＳａ１）、これらのパラメータ「ｌ１-１」及び「ｌ１-２」に基づいて、ＲＡＭ上に枠Ｗを描画する（ステップＳａ２）。この際、システム制御部５は、パラメータ「ｌ１-１」及び「ｌ１-２」と、モニタＭＮの表示可能画素数に基づいて、単位長さ（例えば、１０ｃｍ）あたりの画素数を算出し、当該画素数に応じて枠Ｗを描画する。
【００５３】
次いで、システム制御部５は、この描画した枠Ｗの内部に座標軸を設定した後（ステップＳａ３）、設定状態テーブルＴＢＬ２から各ｃｈに対応するスピーカＳの配置位置に関するパラメータ「ｌ２-１」及び「ｌ２-２」を読み出し（ステップＳａ４）、当該パラメータ「ｌ２-１」及び「ｌ２-２」に基づいて、枠Ｗ内にプロッティングを行う（ステップＳａ５）。この際、例えば、「ＦＲ」ｃｈのスピーカＦＲＳに対して「ｌ２-１」＝「０．３ｍ」、「ｌ２-２」＝「０．３ｍ」となっている場合、システム制御部５は、座標（３，３）の位置にプロッティングを行う。
【００５４】
このようにしてプロッティングがなされると、システム制御部５は、当該プロット上にアイコンＰに対応する画像を描画し（ステップＳａ６）、設定状態テーブルＴＢＬ２から、パラメータ「ｒ」を読み出す（ステップＳａ７）。そして、システム制御部５は、これらのパラメータに基づいてリスニングポイントに対応する位置にプロットを行い（ステップＳａ８）、アイコンＬに対応する画像を描画して（ステップＳａ９）、処理を終了する。
【００５５】
以上のような一連の処理が実行される結果、音響再生装置Ａの記録部６には初期設定に対応した設定状態テーブルＴＢＬ２と設定画面データが記録されることとなる。
【００５６】
（２）設定変更時の動作
次に、図８及び図９を参照しつつ、本実施形態にかかる音響再生装置Ａにおいて設定変更を行う際の動作について説明する。音響再生装置Ａの設定を変更する場合、ユーザは、まず、指示入力部８に対して所定の入力を行い、或いは、図示せぬリモコン装置に対して所定の入力操作を行うことが必要となる。なお、この際の入力操作の内容については任意である。
【００５７】
かかる入力操作が行われると、システム制御部５は、図８及び図９に示す設定変更処理を開始する。この設定変更処理において、システム制御部５は、まず、記録部６に記録されている設定画面データを読み出し、当該設定画面データを描画した画像データを生成して、当該画像データを映像処理部９へと供給し（ステップＳｂ１）、ユーザによる選択を待機する状態となる（ステップＳｂ２「ｎｏ」）。この結果、モニタＭＮには、例えば、図１０に示すような画像が表示されることとなる。
【００５８】
同図に示すように、この際、モニタＭＮに表示される画像には設定画面に対応した画像が表示されると共に、例えば、変更しようとする設定内容を選択するためのアイコンＩ１及びＩ２が表示される。ここで、これらのアイコンＩ１及びＩ２は、各々、
（アイコンＩ１）スピーカＳの機種の変更コマンド、
（アイコンＩ２）スピーカＳの配置位置及びリスニングポイントの位置の変更コマンド、
に対応したものとなっている。従って、同画面上において、何れかのアイコンＩ１、Ｉ２を選択すると、当該アイコンＩ１、Ｉ２に対応する処理がシステム制御部５によって実行されることとなる。
【００５９】
この状態において、ユーザが指示入力部８、或いは、リモコン装置に対してアイコンＩ１若しくはＩ２を選択する旨の入力操作を行うと、システム制御部５は、ステップＳｂ２において「ｙｅｓ」と判定し、その選択されたものがアイコンＩ１、Ｉ２の何れであるかを判定する状態となる（ステップＳｂ３）。ユーザがアイコンＩ１を選択する旨の入力操作を行っていた場合、システム制御部５は、この判定において「ｙｅｓ」と判定し、設定画面データと共に、例えば、「機種を変更するスピーカＳを選択してください」なる文字列を描画した画像データを生成して映像処理部９に供給し（ステップＳｂ４）、ユーザの入力を待機する状態となる（ステップＳｂ５「ｎｏ」）。ユーザは、この状態において、機種を変更すべきスピーカＳを選択する入力操作を行うことが必要となる。
【００６０】
そして、ユーザが、機種を変更すべきスピーカＳを選択する旨の入力操作を行うと、システム制御部５は、ステップＳｂ５において「ｙｅｓ」と判定して、当該選択されたスピーカＳの座標を抽出し、当該座標をＲＡＭ上に記憶する（ステップＳｂ６）。次いで、システム制御部５は、記録部６に記録されているパラメータテーブルＴＢＬ１-ｋからスピーカ機種名を読み出した後（ステップＳｂ７）、この読み出した機種名に基づいてスピーカ機種を選択するための一覧表に対応する画像データを生成し、映像処理部９に供給して（ステップＳｂ８）、ユーザの入力操作を待機する状態となる（ステップＳｂ９「ｎｏ」）。
【００６１】
かかる処理がなされる結果、モニタＭＮ上には、選択可能なスピーカＳの機種名の一覧が表示される。この状態において、ユーザが、指示入力部８、或いは、リモコン装置を操作することにより、機種名を選択する旨の入力操作を行う。すると、システム制御部５は、ステップＳｂ９において「ｙｅｓ」を判定し、設定状態テーブルＴＢＬ２を更新する（ステップＳｂ１０）。この際、システム制御部５は、設定状態テーブルＴＢＬ２から各ｃｈに対応するパラメータ「ｒ」を読み出し、当該「ｒ」に対応する距離と対応付けてパラメータテーブルＴＢＬ１-ｋに格納されているパラメータ「ＤＴ」、「ＤＢ」、「Ｆ」を読み出す。そして、システム制御部５は、設定状態テーブルＴＢＬ２の当該「ｒ」に対応するフィールドにこれら「ＤＴ」等のパラメータを格納することにより、設定状態テーブルＴＢＬ２を更新する（ステップＳｂ１０）。
【００６２】
次いで、システム制御部５は、画像データを生成して映像処理部９に供給し（ステップＳｂ１１）、ユーザの入力を待機する状態となる（ステップＳｂ１２「ｎｏ」）。この結果、モニタＭＮには、例えば、「設定が変更されました、引き続き設定変更を行いますか」等の文字列と共に、「続行」及び「終了」なる二つのボタンが表示される。この状態において、ユーザが指示入力部８、或いは、リモコン装置に対して、何れかのボタンを選択する旨の入力操作を行うと、システム制御部５は、ステップＳｂ１２において「ｙｅｓ」と判定し、当該選択されたボタンが「終了」ボタンであるか否かを判定する（ステップＳｂ１３）。そして、この判定において「ｙｅｓ」と判定した場合、システム制御部５は、処理を終了する。
【００６３】
これに対して、この判定において「ｎｏ」と判定した場合、すなわち、ユーザが「継続」ボタンを選択する旨の入力操作を行っていた場合、システム制御部５は、再度、ステップＳｂ１及びステップＳｂ２を実行する。この結果、モニタＭＮには、上記図１０に示すような画像が表示されることとなる。そして、ユーザが、アイコンＩ２を選択する旨の入力操作を行った場合、システム制御部５は、例えば、「設定画面上において移動対象を選択し、ドラッグアンドドロップしてください」等の文字列に対応したデータと、設定画面データを含む画像データを生成して映像処理部９に供給し（ステップＳｂ１４）、ユーザの入力操作を待機する状態となる（ステップＳｂ１５「ｎｏ」）。
【００６４】
この状態において、システム制御部５は、指示入力部８等に対する入力を監視し、ドラッグされているアイコンが移動前の位置から横方向及び縦方向に、どの程度、座標が変化したのかを算出する。そして、システム制御部５は、当該アイコンの横方向及び縦方向に対する座標変化から、当該アイコンの聴取空間内における縦方向の移動距離及び横方向の移動距離をモニタＭＮに表示させる。
【００６５】
一方、モニタＭＮ上に表示されている画像に従って、ユーザが選択中のアイコンをドロップする旨の入力操作を指示入力部８等に行う。すると、システム制御部５は、ステップＳｂ１５において「ｙｅｓ」と判定し、当該移動されたものがアイコンＰに対応したものであるか否かを判定する状態となる（ステップＳｂ１６）。
【００６６】
ここで、例えば、ユーザが、指示入力部８に対して「ＦＬ」ｃｈのスピーカＳに対応するアイコンＦＬＰを選択し、移動先の位置を決定する旨の入力操作を行っていた場合、システム制御部５は、ステップＳｂ１６において「ｙｅｓ」と判定し、設定画面上における「ＦＬ」ｃｈに対応するスピーカＳの移動先の座標から、リスニングポイントまでの距離を算出する（ステップＳｂ１７）。なお、この際の距離の算出方法については、任意である。例えば、以下のような方法を採ることも可能である。すなわち、移動先に対応する座標が（Ｘ’、Ｙ’）であり、リスニングポイントの座標が（Ｘ１、Ｙ１）とした場合、
【数１】
2005286903.tif 000003
（ただし、ＲはスピーカＳの移動先からリスニングポイントまでの距離）
を算出することにより、スピーカＳの移動先とリスニングポイントとの間の距離を算出するのである。
【００６７】
このようにして、距離の算出が完了すると、システム制御部５は、この算出結果に基づいて設定画面データと設定状態テーブルＴＢＬ２を更新する（ステップＳｂ１８）。この際、システム制御部５は、設定状態テーブルＴＢＬ２に格納されている機種名を読み出し、パラメータテーブルＴＢＬ１-ｋを決定すると共に、この算出された距離と対応付けて、当該パラメータテーブルＴＢＬ２に格納されている「ＤＴ」等のパラメータを読み出す。そして、システム制御部５は、この読み出した「ＤＴ」等のパラメータにより設定状態テーブルＴＢＬ２に格納されているパラメータを上書きして、設定状態テーブルＴＢＬ２を更新する（ステップＳｂ１８）。また、この際、システム制御部５は、設定画面データについても、移動先の位置に対応する座標にプロットを行いアイコンＰ或いは、アイコンＬの描画位置を変更し、当該変更後の設定画面データを記録部６に記録する（ステップＳｂ１８）。
【００６８】
一方、ユーザが、リスニングポイントに対応するアイコンＬを選択し、移動先の位置を決定する旨の入力操作を行っていた場合、システム制御部５は、ステップＳｂ１６において「ｎｏ」と判定し、当該移動先から各スピーカＳまでの距離を算出する（ステップＳｂ１９）。なお、この場合についても、距離の算出方法は、上記と同様に任意である。このようにして、リスニングポイントとスピーカＳの間の距離が算出されると、システム制御部５は、この算出結果に基づいて設定状態テーブルＴＢＬ２と設定画面データを更新する（ステップＳｂ２０）。
【００６９】
かかる処理が完了すると、システム制御部５は、再度、ステップＳｂ１１〜ステップＳｂ１３の処理を実行し、「終了」ボタンが選択された場合には、ステップＳｂ１３において「ｙｅｓ」と判定して処理を終了する一方、「継続」ボタンが選択された場合には、ステップＳｂ１〜ステップ２０の処理を繰り返す。
【００７０】
以上の処理を経て、設定状態テーブルＴＢＬ１が変更されると、音声処理部４は、この更新後の設定状態テーブルＴＢＬ２に基づいて、入力されるオーディオデータに対する信号処理を実行する。具体的には、当該更新後の設定状態テーブルＴＢＬ２に格納されているパラメータ「ＤＴ」に基づいて、各ｃｈに対応するオーディオデータの遅延時間を変更し、或いは、パラメータ「ＤＢ」に基づいてオーディオデータの音圧に変更を加え、更には、周波数特性の変更も行うのである。
【００７１】
このように本実施形態にかかる音響再生装置Ａは、例えば、複数のｃｈに対応するオーディオデータのような、複数の音響信号に基づいて当該各音響信号に対応する各スピーカを夫々拡声させ、聴取者に対して臨場感のある音場空間を提供する音響再生装置Ａにおいて、音場空間が再現された仮想空間を表示する画面であって、当該音場空間内におけるリスニングポイント（聴取者の聴取位置）及び各スピーカＳの配置位置に対応する位置にアイコンＰ及びＬが描画された設定画面をモニタＭＮに表示させると共に、当該設定画面に基づいてユーザが行った入力操作に応じて当該設定画面の変更を行う映像処理部９及びシステム制御部５と、設定画面に基づいて仮想空間内における各スピーカＳの設定状態及びリスニングポイントの設定状態として、例えば、リスニングポイントやスピーカＳの配置位置の移動状態を認識し、その認識結果に基づいて音場空間内における各スピーカＳとリスニングポイントとの間の現実の距離を算出するシステム制御部５と、算出された距離に対応する信号処理を音響信号に対して行う音声処理部４及びシステム制御部５とを具備する構成となっている。
【００７２】
この構成により、ユーザが行った入力操作に応じて設定画面が変更された場合に、当該変更後の設定画面に基づいて各スピーカＳやリスニングポイントの設定状態として、例えば、これらの移動状態がシステム制御部５によって認識され、当該移動後の距離がシステム制御部５によって算出される。この結果、オーディオデータは、音声処理部４によって、当該算出された距離に対応するパラメータを利用しつつｃｈ毎に信号処理されることとなる。このため、リスニングポイントの位置やスピーカＳの配置位置が変更された場合においても、再度、自動測定を行ったり、巻き尺によりスピーカと壁との距離を測定することなく、簡易に最適な音場を再現することが可能となる。
【００７３】
また、本実施形態において音響再生装置Ａのシステム制御部５は、仮想空間内においてリスニングポイントが移動され若しくは各スピーカＳが移動されたことが認識された場合に、当該認識結果に基づいて音場空間内における各スピーカＳとリスニングポイントとの間の現実の距離を算出する構成となっている。この構成により、設定画面上におけるリスニングポイント等の位置変更が随時、認識され、当該移動後の距離が算出されることとなる。このため、煩雑な作業を行うことなく移動後の距離に応じて、オーディオデータの信号処理を行う際のパラメータを適切に変更し、スピーカＳ等の移動後においてもリスニングポイントにおいて最適な音場を再現することが可能となる。
【００７４】
また更に、本実施形態において音響再生装置Ａのシステム制御部５は、設定画面内に座標点を定め、当該設定画面上におけるアイコンＰ及びＬの描画された座標に基づいて、仮想空間内におけるスピーカＳの移動先及びリスニングポイントの移動先を認識する構成を採用している。このため、スピーカＳ等の移動前後における移動距離を各点の座標に基づき、正確に算出することが可能となり、もって、スピーカＳ等の移動後においてもリスニングポイントにおいて最適な音場を再現することが可能となる。
【００７５】
更に、本実施形態にかかる音響再生装置Ａは、音声処理部４が各ｃｈに対応するオーディオデータに対して信号処理を行う際のパラメータ（演算係数）がスピーカＳとリスニングポイントとの間の距離と対応付けて予め格納されたパラメータテーブルＴＢＬ１-ｋが記録された記録部６を更に有し、音声処理部４は、算出された距離と対応付けてパラメータテーブルＴＢＬ１-ｋに格納されたパラメータを利用しつつ信号処理を行う構成となっている。この構成により、パラメータテーブルＴＢＬ１-ｋに格納されているパラメータに基づく信号処理が行われることとなるため、スピーカＳ等を移動した場合であっても、リスニングポイントにおいて最適な音場を再現することが可能となる。
【００７６】
更にまた、本実施形態にかかる音響再生装置Ａの音声処理部４は、算出された距離に基づいて、各ｃｈに対応したオーディオデータの遅延時間と音圧レベルと周波数特性とに変更を加える信号処理を行う構成となっている。このため、各ｃｈ毎に適切な信号処理がなされ、リスニングポイントにおいて、最適な音場が再現されることとなる。
【００７７】
また、本実施形態にかかる音響再生装置Ａにおいてシステム制御部５は、音場空間内におけるリスニングポイントに対応する位置を表すアイコンＬを描画すると共に、各スピーカＳの配置位置に対応する位置にスピーカを表すアイコンＰを描画する構成となっている。このため、設定画面を視認した聴取者は、現在の設定状態を一目で判別して、設定を行うことが可能となる。
【００７８】
なお、本実施形態において音響再生装置Ａは、５．１ｃｈのオーディオデータが入力される場合について、説明したが、入力されるオーディオデータのｃｈ数は何ｃｈであっても良い。
【００７９】
また、本実施形態において音響再生装置Ａには、ＦＲＳ、ＦＬＳ、ＣＳ、ＳＲＳ、ＳＬＳの５本のスピーカが接続され、各々異なるｃｈの音声信号を出力する構成となっているが、５本以上のスピーカが接続できるようにしても良い。
【００８０】
また更に、本実施形態にかかる音響再生装置Ａは、スピーカＳの機種を変更する場合に、既に設定状態テーブルＴＢＬ２に格納されているパラメータ「ｒ」、すなわち、リスニングポイントとスピーカＳとの間の距離を利用する構成としている。しかし、スピーカＳの機種を変更する際に、新たに距離を計算するようにしても良い。
【００８１】
また更に、上記実施形態において音響再生装置Ａの記録部６には、各機種に対応するパラメータテーブルＴＢＬ１-ｋが事前に記録されている構成となっている。しかし、これらパラメータデーブルＴＢＬ１-ｋは、インターネット等のネットワークを介してダウンロードする構成としても良い。この場合、音響再生装置ＡにＷＷＷ（World Wide Web）ブラウザを搭載すると共に、ネットワークインターフェイスを設けることが必要となる。一方、インターネット内にパラメータテーブルＴＢＬ１-ｋをリソースとして保持するＦＴＰ（File Transfer protocol）サーバを設け、必要に応じて、当該サーバからパラメータテーブルＴＢＬ１-ｋをダウンロードするようにすれば良い。
【００８２】
更に、本実施形態において音響再生装置Ａは、設定画面上においてスピーカＳの位置が変更された場合にシステム制御部５が設定状態テーブルＴＢＬ２の内容を更新し、当該更新後の設定状態テーブルＴＢＬ２に格納されている各種パラメータを利用して音声処理部がオーディオデータを処理することにより、リスニングポイントに対する音像定位を実現する構成となっていた。しかし、上記配置位置の変更のみならず、設定画面上における操作により、新たにスピーカＳを追加したり、或いは、既に配置されているスピーカを削除するようにすることも可能である。
【００８３】
この構成を採用する場合、以下のような方法を採用することが必要となる。すなわち、設定画面上において既に配置されているスピーカＳの削除が行われた場合、システム制御部５は、設定状態テーブルＴＢＬ２の当該削除されたスピーカＳに対応するフィールドに格納されている各パラメータを削除すると共に、当該削除後のスピーカ台数に対応する「ＤＴ」等のパラメータをパラメータテーブルＴＢＬ１-ｋから読み出し、当該パラメータにて設定状態テーブルＴＢＬ１-ｋを更新する。そして、音声処理部４は、当該削除されたスピーカＳに対応するｃｈのオーディオデータを他ｃｈのオーディオデータに重畳すると共に、更新後の設定状態テーブルＴＢＬ２に格納されているパラメータを利用して、当該重畳されたオーディオデータの演算及び加工を行う。そして、音声処理部４が当該処理後のオーディオデータをＤ／Ａ変換部１０に出力するようにし、当該削除されたスピーカＳに対する音声信号の出力をオフにする。
【００８４】
これに対して、設定画面上において新たなスピーカＳが追加された場合、システム制御部５は、設定状態テーブルＴＢＬ２に当該追加されたスピーカＳに対応するフィールドを作成し、当該フィールドに各種のパラメータを追記する。そして、音声処理部４が当該更新後の設定状態テーブルＴＢＬ２に基づいてオーディオデータに対する加工及び演算を行うようにすれば良い。
【００８５】
更にまた、本実施形態においては、音響再生システムＳＹの設置される部屋の広さをユーザがモニタＭＮに表示されている画像に従って、入力する構成が採用されている。しかし、部屋の広さを測定するに際しては、各スピーカＳから音声を拡声し、当該音声をマイクにより集音して、自動的に部屋の広さを測定するようにすることも可能である。
【００８６】
更にまた、本実施形態においては、メディア再生装置ＭＰからデジタル形式のオーディオデータ及び映像データが音響再生装置に入力される構成となっている。しかし、メディアから読み出されたコンテンツデータをメディア再生装置ＭＰにおいてアナログ信号に変換し、当該アナログ信号を音響再生装置Ａに入力するようにしても良い。この場合、映像処理部９にデコーダを設けることは必要とならず、更に、Ｄ／Ａ変換部８を設けることも必要とならない。
【００８７】
［２］実施形態の変形例
（１）変形例１
上記実施形態にかかる音響再生システムＳＹにおいては、パラメータテーブルＴＢＬ１-ｋをスピーカ機種毎に設け、使用するスピーカの機種によって利用するパラメータテーブルＴＢＬ１-ｋを変更する構成が採用されていた。しかし、このパラメータテーブルＴＢＬ１-ｋは、スピーカＳの機種毎に設けることは必ずしも必要とならず、例えば、「ＬＡＲＧＥ」、「ＳＭＡＬＬ」等のスピーカのサイズに応じて設けるようにしても良い。特に、スピーカＳによって拡声される音声の周波数特性は、スピーカサイズに依存するところが大きいので、スピーカサイズに応じてパラメータテーブルＴＢＬ１-ｋを設けるようにしておけば、スピーカＳの機種に対応して信号処理を行う際のパラメータを変更することも可能となる。また、このような方法を採用する場合、パラメータテーブルＴＢＬ１-ｋは複数設けなくとも、一つのテーブルＴＢＬ１-ｋに各サイズのスピーカＳに対応する「ＤＴ」等のパラメータを格納するようにしても良い。
【００８８】
更に、パラメータテーブルＴＢＬ１-ｋにスピーカＳの機種名と、サイズとを対応付けて格納するようにし、機種名に基づいて使用するスピーカＳを選択するための画面をモニタＭＮに表示させ、当該画面に従って、ユーザが行った入力操作に基づいて実際に使用されるスピーカのサイズを決定するようにしても良い。
【００８９】
更にまた、スピーカＳの機種によってパラメータの変更を行う必要性がない場合、一つのパラメータテーブルＴＢＬ１-ｋに各距離に対応した「ＤＴ」等のパラメータを格納し、このパラメータを利用して、設定状態テーブルＴＢＬ２の生成及び更新を行うようにすることも可能である。
【００９０】
（２）変形例２
上記実施形態にかかる音響再生システムＳＹにおいては、ＡＶアンプ等の単一の装置により音響再生装置Ａが構成されていた。これに対して、本変形例においては、例えば、ＡＶアンプと、パーソナルコンピュータ（Personal Computer）等の情報処理装置とを接続し、上記実施形態において音響再生装置Ａが単独にて実行していた処理をコンピュータにおいて実行しようとするものである。
【００９１】
かかる機能を実現する本変形例にかかる、音響再生システムＳＹの構成を図１１に示す。なお、同図において上述した図１に示す要素と同一の要素については、同一の符号を付してある。従って、同一の符号が付された要素は、特に示さない限り上記実施形態と同様の構成を有し、同一の動作を行うものである。同図に示すように、本変形例にかかる音響再生システムＳＹは、モニタＭＮと、ＤＶＤレコーダ等のメディア再生装置ＭＰと、音源となるフロントライトスピーカＦＲＳ、フロントレフトスピーカＦＬＳ、センタスピーカＣＳ、サラウンドライトスピーカＳＲＳ、サラウンドレフトスピーカＳＬＳと、音響再生装置Ａ１と、情報処理装置ＰＣとを有する。
【００９２】
ここで、本変形例において音響再生装置Ａ１は、情報処理装置ＰＣとの間のデータの授受を仲介する外部機器インターフェイス部（以下、「インターフェイス」を「Ｉ／Ｆ」と略称する）１３を有し、この外部機器Ｉ／Ｆ部１３を介して情報処理装置ＰＣと接続されている。この音響再生装置Ａ１に接続された情報処理装置ＰＣは、記録部Ｐ１と、制御部Ｐ２と、外部機器Ｉ／Ｆ部Ｐ３と、表示部Ｐ４を有しており、この記録部Ｐ１には、上記実施形態において音響再生装置Ａの記録部６に記録されていたパラメータテーブルＴＢＬ１-ｋと、設定状態テーブルＴＢＬ２と、設定画面データとが格納されている。
【００９３】
また、この記録部Ｐ１には、上記テーブルと共に、制御部Ｐ２が情報処理装置ＰＣの各部を制御するための制御プログラムが記録されており、制御部Ｐ２は、この制御プログラムを実行することにより、設定状態テーブルＴＢＬ２及び設定画面データの生成及び更新を行う。なお、この制御部Ｐ２が音響再生装置Ａ１の初期設定時に設定状態テーブルＴＢＬ２及び設定画面データを生成する際の動作は、上記図５及び図７と同様であり、設定状態テーブルＴＢＬ２及び設定画面データを更新する際の動作は、上記図８及び図９と同様であるため詳細は省略する。なお、設定変更を行う場合、表示部Ｐ４に設定画面が表示されることとなる。
【００９４】
また、この制御部Ｐ２は、設定状態テーブルＴＢＬ２を生成した際、及び当該設定状態テーブルＴＢＬ２を更新した際に、当該設定状態テーブルＴＢＬ２を外部機器Ｉ／Ｆ部Ｐ３を介して音響再生装置Ａ１に送信する機能を有する。この情報処理装置ＰＣによって送信された設定状態テーブルＴＢＬ２は、音響再生装置Ａ１の記録部１６に記録され、音響再生装置Ａ１の音声処理部４がオーディオデータの加工及び演算を行う際に利用される。
【００９５】
従って、情報処理装置ＰＣにおいて設定状態テーブルＴＢＬ２の内容が更新された場合には、常に、当該更新後の設定状態テーブルＴＢＬ２が音響再生装置Ａ１においても共用されることとなり、ユーザによる設定変更内容が音響再生装置Ａ１にフィードバックされ、オーディオデータの加工等に利用されることとなる。
【００９６】
このように、本変形例にかかる音響再生システムＳＹ１は、複数のスピーカＳと、例えば、複数のｃｈに対応するオーディオデータのような、複数の音響信号に基づいて当該各音響信号に対応する各スピーカを夫々拡声させ、聴取者に対して臨場感のある音場空間を提供する音響再生装置Ａ１と、各種の信号処理を実行する情報処理装置ＰＣと、を備える音響再生システムＳＹ１において、情報処理装置ＰＣは、音場空間が再現された仮想空間を表示する画面であって、当該音場空間内におけるリスニングポイント及び各スピーカＳの配置位置に対応する位置にアイコンＰ、Ｌが描画された設定画面を表示部Ｐ３に表示させると共に、当該設定画面に基づいてユーザが行った入力操作に応じて当該設定画面の変更い、設定画面に基づいて仮想空間内における各スピーカの設定状態及びリスニングポイントの設定状態を認識する一方、この認識結果に基づいて音場空間内における各スピーカＳとリスニングポイントとの間の現実の距離を算出して、その算出結果に応じて、音響再生装置Ａ１を制御する制御部Ｐ２と、を具備し、音響再生装置Ａ１は、情報処理装置ＰＣの制御の下、算出された距離に対応する信号処理を各ｃｈに対応するオーディオデータに対して行う音声処理部４を具備する構成となっている。
【００９７】
この構成により、ユーザが行った入力操作に応じて設定画面が変更された場合に、当該変更後の設定画面に基づいて各スピーカＳやリスニングポイントの設定状態として、例えば、これらの移動状態が情報処理装置ＰＣの制御部Ｐ２によって認識され、当該移動後の距離が制御部Ｐ２によって算出される。この結果、オーディオデータは、音響再生装置Ａ１の音声処理部４によって、当該算出された距離に対応するパラメータを利用しつつｃｈ毎に信号処理されることとなる。このため、リスニングポイントの位置やスピーカＳの配置位置が変更された場合においても、再度、自動測定を行ったり、巻き尺によりスピーカと壁との距離を測定することなく、簡易に最適な音場を再現することが可能となる。
【００９８】
なお、本変形例では、設定画面上における設定内容に応じて、音場空間内における現実の距離、すなわち、リスニングポイントと各スピーカＳとの間の距離を算出し、音響再生装置Ａ１が各ｃｈに対応するオーディオデータに対して信号処理を行う際の制御を情報処理装置ＰＣにより行う構成となっているが、当該制御処理の動作を規定するプログラムが記録された記録媒体と、それを読み取るコンピュータと、を備え、このコンピュータで当該プログラムを読み込むことによって上述と同様の記録処理の動作を行うようにしてもよい。
【図面の簡単な説明】
【００９９】
【図１】実施形態における音響再生システムＳＹの構成を示すブロック図である。
【図２】同実施形態におけるパラメータテーブルＴＢＬ１-ｋの記録内容の一例を示す図である。
【図３】同実施形態における設定状態テーブルＴＢＬ２の記録内容の一例を示す図である。
【図４】同実施形態における設定画面データに基づいて表示される画像の一例を示す図である。
【図５】同実施形態における音響再生装置Ａのシステム制御部５が実行する処理を示すフローチャートである。
【図６】同実施形態におけるモニタＭＮに表示される画像の一例を示す図である。
【図７】同実施形態における音響再生装置Ａのシステム制御部５が実行する処理を示すフローチャートである。
【図８】同実施形態における音響再生装置Ａのシステム制御部５が実行する処理を示すフローチャートである。
【図９】同実施形態における音響再生装置Ａのシステム制御部５が実行する処理を示すフローチャートである。
【図１０】同実施形態におけるモニタＭＮに表示される画像の一例を示す図である。
【図１１】変形例２における音響再生システムＳＹ１の構成を示す図である。
【符号の説明】
【０１００】
ＳＹ、ＳＹ１・・・音響再生システム
ＭＮ・・・モニタ
ＭＰ・・・メディア再生装置
ＦＲＳ、ＦＬＳ、ＣＳ、ＳＲＳ、ＳＬＳ・・・スピーカ
Ａ、Ａ１・・・音響再生装置
【図１】
2005286903.tif 000004
【図２】
2005286903.tif 000005
【図３】
2005286903.tif 000006
【図４】
2005286903.tif 000007
【図５】
2005286903.tif 000008
【図６】
2005286903.tif 000009
【図７】
2005286903.tif 000010
【図８】
2005286903.tif 000011
【図９】
2005286903.tif 000012
【図１０】
2005286903.tif 000013
【図１１】
2005286903.tif 000014